(57)【要約】      （修正有）【課題】パチンコ遊技機の可動役物装置において、第１可動役物を駆動する際に、第２可動役物を第１可動役物と一体的に駆動したり、第１可動役物の駆動方向と同方向へ駆動しながら別の方向へも駆動したりして、第１，第２可動役物の斬新な動作を実現して演出効果を高める。【解決手段】第１役物駆動機構４３が、第１可動役物４１を第１退避位置と第１作動位置とに亙ってこれら両位置の間の第１途中位置を経由させて駆動し、第２役物駆動機構４４が、第１可動役物４１を第１退避位置と第１途中位置との間で駆動する際には、第２可動役物４２を第１可動役物４１と一体的に駆動し、第１可動役物４１を第１途中位置と第１作動位置との間で駆動する際には、第２可動役物４２を第１可動役物４１の駆動方向と同方向へ駆動しながら第２退避位置と第２作動位置とに亙って駆動する。【選択図】図８
2012034746.tif 000002
【特許請求の範囲】
【請求項１】
ベース部材に対して第１退避位置と第１作動位置とに亙って可動に配設された第１可動役物と、第１可動役物に対して第１可動役物に重なった第２退避位置と第１可動役物から少なくとも部分的にはみ出した第２作動位置とに亙って可動に配設された第２可動役物とを備えた可動役物装置を装備したパチンコ遊技機であって、
前記可動役物装置は、
前記第１可動役物を第１退避位置と第１作動位置とに亙ってこれら両位置の間の第１途中位置を経由させて駆動する第１役物駆動機構と、
前記第１可動役物を第１退避位置と第１途中位置との間で駆動する際には、第２可動役物を第１可動役物と一体的に駆動し、第１可動役物を第１途中位置と第１作動位置との間で駆動する際には、第２可動役物を第１可動役物の駆動方向と同方向へ駆動しながら第２退避位置と第２作動位置とに亙って駆動する第２役物駆動機構と、
を備えたことを特徴とするパチンコ遊技機。
【請求項２】
前記第１，第２役物駆動機構を制御する役物制御装置を備え、
前記役物制御装置は、第１の特別演出として、第１可動役物を第１退避位置から移動開始させて、第１退避位置と第１途中位置との間で複数回往復移動させた後、第１可動役物を第１途中位置から第１作動位置へ移動させるとともに第２可動役物を第２退避位置から第２作動位置へ移動させることを特徴とする請求項１に記載のパチンコ遊技機。
【請求項３】
前記役物制御装置は、第２の特別演出として、第１可動役物を第１退避位置から移動開始させて、第１退避位置と第１途中位置との間で複数回往復移動させた後、第１可動役物を第１途中位置から第１作動位置へ移動させないで第１退避位置へ移動停止させることを特徴とする請求項２に記載のパチンコ遊技機。
【請求項４】
前記第２役物駆動機構は、第１可動役物の第１途中位置と第１作動位置との間における往復移動に連動して第２可動役物を往復回動させる役物連動機構を有することを特徴とする請求項１〜３の何れか１項に記載のパチンコ遊技機。
【請求項５】
前記可動役物装置は、第１可動役物を第１退避位置から第１作動位置へ付勢するバネ部材を有するアシストバネ機構を備え、
前記アシストバネ機構は、第１可動役物が少なくとも第１途中位置よりも第１作動位置側の設定位置から第１作動位置へ近づくほど第１可動役物に作用させるアシスト力を小さくするように構成されたことを特徴とする請求項４に記載のパチンコ遊技機。
【発明の詳細な説明】
【技術分野】
【０００１】
本発明はパチンコ遊技機に関し、特に、第１，第２可動役物と、この第１，第２可動役物を駆動する第１，第２役物駆動機構を備えた可動役物装置に関するものである。
【背景技術】
【０００２】
従来、パチンコ遊技機の多くは、遊技演出用に可動役物装置を装備しているが、複数の可動役物を連係させた状態で設け、この複数の可動役物の連動する動作により、一連の遊技演出を実現する可動役物装置が実用化されている（例えば、特許文献１〜３参照）。
【０００３】
特許文献１の可動役物装置では、第１可動役物の基端部がベース部材に回動自在に支持され、第２可動役物が第１可動役物に伸縮自在に装着されている。第１可動役物が第１電動モータにより回動駆動され、第２可動役物が第２電動モータにより伸縮駆動される。第２電動モータは第１可動役物に取付けられ、その駆動力がラック・ピニオンを介して第２可動役物に伝達される。この第１，第２可動役物は人の腕を模している。
【０００４】
特許文献２の可動役物装置では、第１可動役物の基端部がベース部材に回動自在に支持され、第２可動役物の基端部が第１可動役物の先端部に回動自在に連結されている。第１可動役物が電動モータで回動駆動されると、その回動力がベース部材と第１，第２可動役物に亙って設けられた複数のギヤにより第２可動役物に伝達され、第２可動役物が回動駆動される。この第１，第２可動役物は人の胴と腕を模している。
【０００５】
特許文献３の可動役物装置では、第１可動役物が直線的に移動駆動され、その第１可動役物の軸状部に環状溝が形成されている。第２可動役物の基端部がベース部材に回動自在に支持され、この第２可動役物に第１可動役物の環状溝に係合する突起部が設けられている。この環状溝と突起部との係合により、第１可動役物の往復移動に連動して可動役物が往復回動する。この第１，第２可動役物は種子のような物を模している。
【先行技術文献】
【特許文献】
【０００６】
【特許文献１】特開２００８−１８００９
【特許文献２】特開２００７−２５２７３４
【特許文献３】特開２００７−１３０１４７
【発明の概要】
【発明が解決しようとする課題】
【０００７】
特許文献３の可動役物装置では、第１可動役物が直線的に往復移動することにより、その往復移動に連動して第２可動役物が回動するが、第２可動役物はベース部材に回動自在に装着されたものであり、ベース部材に対して単純に回動するのみの動作となる。特許文献２の可動役物装置では、第１，第２可動役物が連動して回動するが、第１，第２可動役物は最初から最後まで単純に異なった動きで動作する。つまり、第１，第２可動役物の斬新な動作を実現することが難しい。
【０００８】
特許文献１の可動役物装置では、第１，第２可動役物を夫々駆動する第１，第２電動モータが必要になるため、構造が大型化し、製作コストが高価になる。しかも、第２電動モータは第１可動役物に取付けられているため、第１，第２可動役物の第２電動モータを含む全重量が重くなる。つまり、第１可動役物を第２可動役物及び第２電動モータと共に回動駆動する負荷が大きくなり、第１可動役物が円滑に回動しない虞もある。特許文献２の可動役物装置では、ベース部材と第１，第２可動役物に亙って複数のギヤを設ける必要があるため、部品点数が増大し、構造が複雑化し、製作コストが高価になる。
【０００９】
特許文献３の可動役物装置のように、役物駆動機構により第１可動役物を移動させるとともに、その移動に連動して第２可動役物を回動させるものでは、１つの可動役物だけを駆動するものと比べて役物駆動機構の駆動負荷が大きくなる。従って、第１，第２可動役物を比較的大型にして、また大きく動作させるようにして迅速に円滑に駆動できない虞がある。
【００１０】
本発明の目的は、パチンコ遊技機の可動役物装置において、第１可動役物を駆動する際に、第２可動役物を第１可動役物と一体的に駆動したり、第１可動役物の駆動方向と同方向へ駆動しながら別の方向へも駆動したりして、第１，第２可動役物の斬新な動作を実現して、演出効果を高めること、等である。
【課題を解決するための手段】
【００１１】
請求項１の発明は、ベース部材(40)に対して第１退避位置と第１作動位置とに亙って可動に配設された第１可動役物(41)と、第１可動役物(41)に対して第１可動役物(41)に重なった第２退避位置と第１可動役物から少なくとも部分的にはみ出した第２作動位置とに亙って可動に配設された第２可動役物(42)とを備えた可動役物装置(17)を装備したパチンコ遊技機(1) であって、前記可動役物装置(17)は、前記第１可動役物(41)を第１退避位置と第１作動位置とに亙ってこれら両位置の間の第１途中位置を経由させて駆動する第１役物駆動機構(43)と、前記第１可動役物(41)を第１退避位置と第１途中位置との間で駆動する際には、第２可動役物(42)を第１可動役物(41)と一体的に駆動し、第１可動役物(41)を第１途中位置と第１作動位置との間で駆動する際には、第２可動役物(42)を第１可動役物(41)の駆動方向と同方向へ駆動しながら第２退避位置と第２作動位置とに亙って駆動する第２役物駆動機構(44)とを備えたことを特徴とする。
【００１２】
請求項２の発明は、請求項１の発明において、前記第１，第２役物駆動機構(43,44) を制御する役物制御装置(20)を備え、前記役物制御装置(20)は、第１の特別演出として、第１可動役物(41)を第１退避位置から移動開始させて、第１退避位置と第１途中位置との間で複数回往復移動させた後、第１可動役物(41)を第１途中位置から第１作動位置へ移動させるとともに第２可動役物(42)を第２退避位置から第２作動位置へ移動させることを特徴とする。
【００１３】
請求項３の発明は、請求項２の発明において、前記役物制御装置(20)は、第２の特別演出として、第１可動役物(41)を第１退避位置から移動開始させて、第１退避位置と第１途中位置との間で複数回往復移動させた後、第１可動役物(41)を第１途中位置から第１作動位置へ移動させないで第１退避位置へ移動停止させることを特徴とする。
【００１４】
請求項４の発明は、請求項１〜３の何れか１項の発明において、前記第２役物駆動機構(44)は、第１可動役物(41)の第１途中位置と第１作動位置との間における往復移動に連動して第２可動役物(42)を往復回動させる役物連動機構(45)を有することを特徴とする。
【００１５】
請求項５の発明は、請求項４の発明において、前記可動役物装置(17)は、第１可動役物(41)を第１退避位置から第１作動位置へ付勢するバネ部材(81)を有するアシストバネ機構(80)を備え、前記アシストバネ機構(80)は、第１可動役物(41)が少なくとも第１途中位置よりも第１作動位置側の設定位置から第１作動位置へ近づくほど第１可動役物(41)に作用させるアシスト力を小さくするように構成されたことを特徴とする。
【発明の効果】
【００１６】
本発明のパチンコ遊技機によれば、可動役物装置において、第１役物駆動機構により、第１可動役物を第１退避位置と第１作動位置とに亙ってこれら両位置の間の第１途中位置を経由させて駆動し、第２役物駆動機構により、第１可動役物を第１退避位置と第１途中位置との間で駆動する際には、第２可動役物を第１可動役物と一体的に駆動し、第１可動役物を第１途中位置と第１作動位置との間で駆動する際には、第２可動役物を第１可動役物の駆動方向と同方向へ駆動しながら第２退避位置と第２作動位置とに亙って駆動するので、第１，第２可動役物の斬新な動作を実現して、演出効果を高めることができる。
【図面の簡単な説明】
【００１７】
【図１】実施例１のパチンコ遊技機の正面図である。
【図２】遊技盤とセンタ役物の正面図である。
【図３】センタ役物の正面図である。
【図４】パチンコ遊技機の制御系のブロック図である。
【図５】遊技盤と可動役物装置の正面図である。
【図６】遊技盤と可動役物装置の後面図である。
【図７】可動役物装置（第１可動役物が第１退避位置）の正面図である。
【図８】可動役物装置の図７の状態の後面図である。
【図９】可動役物装置の前側からの分解斜視図である。
【図１０】可動役物装置の後側からの分解斜視図である。
【図１１】可動役物装置（第１可動役物が第１作動位置）の正面図である。
【図１２】可動役物装置の図１１の状態の後面図である。
【図１３】可動役物装置（第１可動役物が第１途中位置）の正面図である。
【図１４】第２可動役物に作用させるアシスト力の説明図である。
【図１５】実施例２の図８相当図である。
【図１６】実施例２の図１２相当図である。
【発明を実施するための形態】
【００１８】
本発明は、パチンコ遊技機のセンタ役物に装備された可動役物装置に適用されている。以下、発明を実施するための形態について実施例に基づいて説明する。
【実施例１】
【００１９】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２０】
開閉扉３には、窓３ａの下側に貯留皿５が設けられ、その貯留皿５に演出ボタン装置６が装着され、貯留皿５の右下側に発射ハンドル７が装着されている。発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２１】
図２〜図４に示すように、遊技盤４には、多数の障害釘（図示略）の他、第１始動口１０、第２始動口装置１１、ゲート１２、大入賞口装置１３、複数の一般入賞口１４、センタ役物１５、画像表示器１６、可動役物装置１７、遊技表示盤１９が図２に示す配置で装着され、遊技盤４の裏面側に制御装置２０が装着されている。
【００２２】
第１始動口１０には入賞した遊技球を検出する第１始動口スイッチ１０ａが付設され、ゲート１２には通過した遊技球を検出するゲートＳＷ１２ａが付設され、各一般入賞口１４には入賞した遊技球を検出する一般入賞口スイッチ１４ａが付設されている。尚、「ＳＷ」はスイッチを意味する。
【００２３】
第２始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄを有する。尚、「ＳＯＬ」はソレノイドアクチュエータを意味する。開閉部材１１ｂは、閉位置で第２始動口１１ａへの遊技球の入賞を不可能にし、開位置で第２始動口１１ａへの遊技球の入賞を可能にする。
【００２４】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、閉位置で大入賞口１３ａへの遊技球の入賞を不可能にし、開位置で大入賞口１３ａへの遊技球の入賞を可能にする。
【００２５】
センタ役物１５は、遊技盤４の前面よりも前方へ張出す枠部材であって、遊技盤４の上部から中央部分に亙って遊技領域４ａの半分以上を占めるサイズで設けられたセンタ役物本体１５ａと、センタ役物本体１５ａの後側に設けられたセンタ役物ベース枠１５ｂとを有し、このセンタ役物１５に画像表示器１６と可動役物装置１７が装着されている。
【００２６】
遊技盤４にはセンタ取付穴４ｂ（図５、図６参照）が形成され、このセンタ取付穴４ｂにセンタ役物本体１５ａが嵌合され、遊技盤４の後面部にセンタ役物ベース枠１５ｂが取付けられている。画像表示器１６は、その画面がセンタ役物本体１５ａの内側領域の大部分に臨むように、センタ役物ベース枠１５ｂに後側から装着されている。
【００２７】
可動役物装置１７は、その第１，第２可動役物４１，４２が、遊技盤４及びセンタ役物本体１５ａよりも後方に位置して、センタ役物本体１５ａの内側領域の右部と画像表示器１６の画面に臨むように、センタ役物ベース枠１５ｂの右部に前側から装着されている。
【００２８】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００２９】
第１特別図柄表示器１９ａには、第１始動口１０への遊技球の入賞に基づいて第１特別図柄が図柄変動後に停止表示され、第２特別図柄表示器１９ｂには、第２始動口１１ａへの遊技球の入賞に基づいて第２特別図柄が図柄変動後に停止表示される。第１又は第２特別図柄表示器１９ａ又は１９ｂに大当り図柄が停止表示された場合、大当り遊技が発生して、大入賞口装置１３が、開閉部材１３ｂを開閉動作させ、通常は閉塞の大入賞口１３ａを複数ラウンドに亙って開閉させる。
【００３０】
普通図柄表示器１９ｃには、ゲート１２への遊技球の入賞（通過）に基づいて普通図柄が図柄変動後に停止表示される。普通図柄表示器１９ｃに当り図柄が停止表示された場合、補助遊技が発生して、第２始動口装置１１が、開閉部材１１ｂを開閉動作させ、通常は閉塞の第２始動口１１ａを１又は複数回開閉させる。
【００３１】
第１特別図柄保留ランプ１９ｄには、第１始動口１０に入賞した遊技球の所謂第１特図保留数が最大で４個表示され、第２特別図柄保留ランプ１９ｅには、第２始動口１１ａに入賞した遊技球の所謂第２特図保留数が最大で４個表示され、普通図柄保留ランプ１９ｆには、ゲート１２に入賞した遊技球の所謂普図保留数が最大で４個表示される。
【００３２】
発射ハンドル７を回動操作することで、遊技領域４ａの上部に発射投入された遊技球は、複数の障害釘に当たって方向を変えながら落下して、入賞口１０，１１ａ，１３ａ，１４の何れかに入賞した場合、そこから遊技領域４ａ外へ排出され、入賞口１０，１１ａ，１３ａ，１４の何れにも入賞しなかった場合には、最終的に、遊技領域４ａの下端部に形成されたアウト口９から遊技領域４ａ外へ排出される。
【００３３】
パチンコ遊技機１の制御系について説明する。
図４に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００３４】
サブ制御装置２５は、払出制御基板２６、演出制御基板２７、画像制御基板２８、ランプ制御基板２９に夫々ＣＰＵとＲＯＭとＲＡＭを含むコンピュータを備えて構成され、演出制御基板２７には更にＲＴＣを備えて構成されている。払出制御基板２６は枠用外部情報端子基板２４に接続されている。尚、「ＲＴＣ」はリアルタイムクロックを意味する。
【００３５】
遊技制御基板２２のコンピュータは、第１，第２始動口ＳＷ１０ａ，１１ｃ、ゲートＳＷ１２ａ、大入賞口ＳＷ１３ｃ、一般入賞口ＳＷ１４ａからの球検出信号と、払出制御基板２６からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２６と演出制御基板２７と盤用外部情報端子基板２３に制御情報（遊技情報）を出力する。
【００３６】
払出制御基板２６のコンピュータは、遊技制御基板２２からの制御情報と、払出球検出ＳＷ３１、球有り検出ＳＷ３２、満タン検出ＳＷ３３からの球検出信号を受けて、払出モータ３０を制御し、入賞口１０，１１ａ，１３ａ，１４への遊技球の入賞１個について、入賞口１０，１１ａ，１３ａ，１４毎に設定された数の遊技球を貯留皿５に払出し、遊技制御基板２２と枠用外部情報端子基板２４に制御情報（払出情報）を出力する。
【００３７】
演出制御基板２７のコンピュータは、遊技制御基板２２からの制御情報と、演出ボタン装置６からのボタン操作信号を受けて、画像制御基板２８に制御情報を出力し、更に、画像制御基板２８からの制御情報を受けて、ランプ制御基板２９に制御情報を出力する。画像制御基板２８のコンピュータは、演出制御基板２７からの制御情報を受けて、画像表示器１６とスピーカ３４とを制御し、演出制御基板２７に制御情報を出力する。ランプ制御基板２９のコンピュータは、演出制御基板２７からの制御情報を受けて、主に画像制御基板２８による制御に同期させて、枠ランプ３５と盤ランプ３６とを制御し、更に、可動役物装置１７（電動モータ６０）を制御する。
【００３８】
可動役物装置１７について詳しく説明する。
図２、図３、図５〜図１３に示すように、可動役物装置１７は、ベース部材４０、ベース部材４０に移動自在にガイド支持された第１可動役物４１、第１可動役物４１に回動自在に支持された第２可動役物４２、第１可動役物４１を駆動する第１役物駆動機構４３、第２可動役物４２を駆動する第２役物駆動機構４４を備えている。
【００３９】
ベース部材４０は、上下長が左右長の約２倍ある合成樹脂製の矩形板状に形成され、遊技盤４と平行に且つセンタ役物本体１５ａの後側に隠れた状態で配置されて、センタ役物本体１５ａの後面部とセンタ役物ベース枠１５ｂの前面部の少なくとも一方に取付けられている。ベース部材４０の周囲には略全周に亙って周壁４０ａが形成され、この周壁４０ａ等によりベース部材４０の剛性が高められている。
【００４０】
第１可動役物４１は、その移動方向に細長く形成され、先の尖った長剣を模して、ベース部材４０の前側に配置されている。第１可動役物４１は、その大部分がセンタ役物本体１５ａ（装飾部材）の後側に隠れた第１退避位置（図２、図３、図７、図８参照）と、その大部分がセンタ役物本体１５ａから現れた第１作動位置（図５、図６、図１１、図１２参照）とに亙って遊技盤４と平行方向に直線的にベース部材４０に対して可動に配設されている。
【００４１】
第１可動役物４１は、画像表示器１６の画面の上下長と略同じ長さを有し、鉛直方向から左側へ約２０度傾斜した方向へ移動する。そして、第１可動役物４１が第１退避位置のときには、その中央付近部から下側部分がセンタ役物本体１５ａの後側に隠れた状態になり、第１可動役物４１が第１作動位置のときには、その下端付近部以外の部分がセンタ役物本体１５ａから現れて、画像表示器１６の画面の前側に位置した状態になる。
【００４２】
第１可動役物４１は、合成樹脂製の第１役物ベース４１ａと、その前側を覆う合成樹脂製の第１役物装飾カバー４１ｂとを有する。第１役物ベース４１ａの前面部には基板（図示略）が取付けられ、その基板の前面に複数のＬＥＤ（図示略）が実装されている。第１役物装飾カバー４１ｂは、多数の凹凸が有る透明なレンズを有し、このレンズとレンズを通過する前記複数のＬＥＤからの光によって、第１可動役物４１が電飾される。尚、ベース部材４０には、センタ役物本体１５ａの近傍において、第１可動役物４１の前側を部分的にカバーするカバー部材４０ｅが設けられている。
【００４３】
可動役物装置１７は、第１可動役物４１をベース部材４０に第１退避位置と第１作動位置とに亙って直線的に移動自在にガイド支持する第１役物ガイド機構４６を備えている。この第１役物ガイド機構４６は、第１可動役物４１にベース部材４０の方（後方）へ突出するように設けた１対の係合部５０ａを有する係合部材５０と、ベース部材４０に１対の係合部５０ａが係合するように設けられ、第１可動役物４１の移動方向と平行方向へ延びるストレート係合溝５２等により構成されている。
【００４４】
ストレート係合溝５２は、第１可動役物４１の移動ストロークの約２倍の長さを有し、且つある程度大きな前後方向の幅を有する。ベース部材４０は、台形状の第１ベース板部４０ｂと、その右側に且つ第１ベース板部４０ｂよりも少し前方に位置する逆三角形状の第２ベース板部４０ｃとを有し、この段差を利用して、第１，第２ベース板部４０ｂ，４０ｃの境界部分にストレート係合溝５２が形成されている。
【００４５】
係合部材５０は、第１可動役物４１の下部の右縁近傍部に装着され、１対の係合部５０ａが上下に配置され、それらの間隔は第１可動役物４１の移動ストロークと略同じになる。下側の係合部５０ａがストレート係合溝５２の下端部に係合して、第１可動役物４１が第１退避位置になり、上側の係合部５０ａがストレート係合溝５２の上端部に係合して、第１可動役物４１が第１作動位置になる。係合部材５０は、１対の係合部５０ａの前側に配置された細長い連結片５０ｂを有する。
【００４６】
第１可動役物４１の第１退避位置が原点位置になり、この原点位置を検出するために、第１可動役物４１に被検出部５５が設けられ、ベース部材４０に原点検出センサ５６が設けられている。被検出部５５は、第１可動役物４１の下部に左方突出状に設けられた遮蔽板５５からなり、原点検出センサ５６は、ベース部材４０の下部に取付けられた発光部と受光部とを有する光学センサ５６からなる。第１可動役物４１が第１退避位置のときに、光学センサ５６は、その発光部と受光部との間が遮蔽板５５で遮られることで、第１可動役物４１の原点位置（第１退避位置）を検出する。
【００４７】
第２可動役物４２は、第１可動役物４１よりも一回り小さいサイズで細長く形成され、先の尖った短剣を模して、ベース部材４０の前側に且つ第１可動役物４１の後側に配置されている。第２可動役物４２は、その基端部が前後方向の軸部材４８を介して第１可動役物４１の中央部よりも多少下側部分に回動自在に支持されている。
【００４８】
第２可動役物４２は、第１可動役物４１に対して、その全部が第１可動役物４１に重なって第１可動役物４１の後側に隠れる第２退避位置（図７、図８、図１３参照）と、この第２退避動位置から反時計回り方向に回動してその大部分が第１可動役物４１からはみ出して現れる第２作動位置（図５、図６、図１１、図１２参照）とに亙って可動に配設されている。
【００４９】
第２可動役物４２は、第１可動役物４１の約３／４〜２／３の長さを有する。第２可動役物４２が、第２退避位置から反時計回り方向へ約９０度回動して第２作動位置になり、その下端付近部以外の部分が第１可動役物４１から現れて、画像表示器１６の画面の前側に位置した状態になる。
【００５０】
第２可動役物４２は、合成樹脂製の第２役物ベース４２ａと、その前側を覆う合成樹脂製の第２役物装飾カバー４２ｂとを有する。第２役物ベース４２ａの前面部には基板（図示略）が取付けられ、その基板の前面に複数のＬＥＤ（図示略）が実装されている。第２役物装飾カバー４２ｂは、多数の凹凸が有る透明なレンズを有し、このレンズとレンズを通過する前記複数のＬＥＤからの光によって、第２可動役物４２が電飾される。
【００５１】
第１役物駆動機構４３は、第１可動役物４１を第１退避位置と第１作動位置とに亙ってこれら両位置の間の第１途中位置（図１３参照）を経由させて駆動し、第２役物駆動機構４４は、第１可動役物４１を第１退避位置と第１途中位置との間で駆動する際には、第２可動役物４２を第１可動役物４１と一体的に駆動し、第１可動役物４１を第１途中位置と第１作動位置との間で駆動する際には、第２可動役物４２を第１可動役物４１の駆動方向と同方向へ駆動しながら第２退避位置と第２作動位置とに亙って駆動する。
【００５２】
第１役物駆動機構４３は、ベース部材４０に取付けられた電動モータ６０（ステッピングモータ６０）と、この電動モータ６０により複数のギヤ６１ａを介して回動される駆動ギヤ６１（ピニオン６１）と、第１可動役物４１に設けられて駆動ギヤ６１が噛合するラック６２とを有する。ランプ制御基板２９のコンピュータが役物制御装置に相当し、電動モータ６０を制御することで、第１，第２役物駆動機構４３，４４を制御する。
【００５３】
電動モータ６０は、ベース部材４０の右上部の後面部に前向きに取付けられ、駆動ギヤ６１はベース部材４０の前側且つ電動モータ６０の下側に配設されている。ラック６２は、第１可動役物４１の右縁後面部に、その中央付近部から下端部に亙って設けられている。このラック６２に係合部材５０が後方突出状に取付けられている。第２可動役物４２は第２退避位置から第２作動位置へラック６２と反対側へ回動する。
【００５４】
第２役物駆動機構４４は、前記のように、第１可動役物４１を第１退避位置と第１途中位置との間で駆動する際には、第２可動役物４２を第１可動役物４１と一体的に駆動するが、第１可動役物４１を第１途中位置と第１作動位置との間で駆動する際には、第２可動役物４２を第１可動役物４１の駆動方向と同方向へ駆動しながら第２退避位置と第２作動位置とに亙って駆動し、そのために、第２役物駆動機構４４は、軸部材４８を含み、この軸部材４８を介して第１役物駆動機構４３の駆動力を第１可動役物４１から第２可動役物４２に伝達するとともに、第１可動役物４１の第１途中位置と第１作動位置との間における往復移動に連動して第２可動役物４２を往復回動させる役物連動機構４５を有する。ここで、第１可動役物４１の移動範囲をＡとし、その移動範囲Ａのうち第１退避位置と第１途中位置間の移動範囲をＡ１、第１途中位置と第１作動位置間の移動範囲をＡ２とする。
【００５５】
役物連動機構４５は、第２可動役物４２にベース部材４０の方（後方）へ突出するように設けたガイド部材７０と、第１可動役物４１が移動範囲Ａ２にあるときにガイド部材７０が係合するようにベース部材４０に設けられ、第２可動役物４２の回動面と平行な面（つまり、遊技盤４と平行な面）に沿って第１可動役物４１の移動方向と平行でない方向へ延びるガイド溝７２とを有する。
【００５６】
ガイド溝７２は、ベース部材４０の上部のストレート係合溝５２の左側部分に形成された円弧状ガイド溝７２からなり、第１可動役物４１の移動方向と平行方向におけるガイド溝７２の長さ（即ち、移動範囲Ａ２）は、移動範囲Ａの半分の長さよりも少し長い。つまり、円弧状ガイド溝７２は比較的緩やかな（曲率が大きい）円弧に形成されている。第２可動役物４２は、第１可動役物４１が移動範囲Ａ１にあるときに第２退避位置になり、第１可動役物４１が移動範囲Ａ２にあるときに第２退避位置以外の第２作動位置を含む位置になり、第１可動役物４１から現れる。
【００５７】
可動役物装置１７は、第１可動役物４１が移動範囲Ａ１にあるときにガイド部材７０が係合するようにベース部材４０に設けられ、円弧状ガイド溝７２の一端部に連なり且つ第１可動役物４１の移動方向と平行方向へ延びるストレートガイド溝７３と、ベース部材４０にガイド部材７０が係合可能に設けられ、円弧状ガイド溝７２の他端部から第１可動役物４１の移動方向と平行方向へ且つストレートガイド溝７３と反対側へ突出するストレート短溝７４とを備えている。
【００５８】
ストレートガイド溝７３は、ベース部材４０のストレート係合溝５２の左側部分にストレート係合溝５２と平行に形成され、その長さは移動範囲Ａの半分の長さよりも少し短く、その上端部が円弧状ガイド溝７２の下端部に連なっている。ストレート短溝７４は、ベース部材４０の上部且つ左縁近傍に形成され、その下端部が円弧状ガイド溝７２の上端部に連なっている。
【００５９】
ガイド部材７０は、第２可動役物４２の基端側部分に、軸部材４８よりも先端側に装着されている。ガイド部材７０の軸心と軸部材４８の軸心とを通る直線が第１可動役物４１の移動方向と平行になり、ガイド部材７０と軸部材４８間の距離が、ストレートガイド溝７３の中心線とストレート短溝７４の中心線間の距離と略同じになるように、軸部材４８とガイド部材７０が配置されている。
【００６０】
ガイド部材７０がストレートガイド溝７３に係合して、第２可動役物４２が第２退避位置になり、第１可動役物４１が第１退避位置にあるときに、ガイド部材７０がストレートガイド溝７３の下端部に係合する。ガイド部材７０が円弧状ガイド溝７２の上端部又はストレート短溝７４に係合して、第２可動役物４２が第２作動位置になる。
【００６１】
ガイド部材７０は鍔付きピン部材７０からなり、この鍔付きピン部材７０は、第２可動役物４２に後方突出状に取付けられた支軸７１に回転自在に装着され、その鍔を後端に位置させて円弧状ガイド溝７２、ストレートガイド溝７３、ストレート短溝７４に後側から係合する。鍔付きピン部材７０は、支軸７１の後端部に装着のＣリング（図示略）で支軸７１から抜止めされている。
【００６２】
尚、軸部材４８、ガイド部材７０、円弧状ガイド溝７２、ストレートガイド溝７３等により、第１可動役物４１が移動範囲Ａ１にあるときには、第２可動役物４２をベース部材４０に直線的に移動自在にガイド支持するとともに、第１可動役物４１が移動範囲Ａ２にあるときには、第２可動役物４２をベース部材４０に回動自在にガイド支持する第２役物ガイド機構４７が構成されている。
【００６３】
次に、可動役物装置１７は、第１可動役物４１をその往復移動方向のうちの一方の移動方向（第１退避位置から第１作動位置）へ付勢するバネ部材８１を有するアシストバネ機構８０、第１可動役物４１の往復移動端での移動停止による衝撃を吸収するクッション部材９０，９１、第２可動役物４２の往復移動端での移動停止による衝撃を吸収するクッション部材９２，９３を備えている。
【００６４】
アシストバネ機構８０は、一端側部分がベース部材４０に回動自在に連結され他端側部分が第１可動役物４１に長穴８３とピン８４を介して連動連結されたアーム部材８２を有し、このアーム部材８２を介してバネ部材８１の付勢力を第１可動役物４１に伝達するように構成されている。
【００６５】
アーム部材８２は、ベース部材４０の下部に配設されて、その左端部がベース部材４０から後方へ突出する支軸８２ａに回動自在に装着され、アーム部材８２の右部にアーム部材８２の長さ方向に細長い長穴８３が形成されている。この長穴８３には、係合部材５０の連結片５０ｂから後方へ突出するピン８４が摺動自在に係合され、即ち、アーム部材８４の右部（他端側部分）が係合部材５０に連動連結されている。
【００６６】
バネ部材８１は、そのコイル部が支軸８２ａの回りに外装された捩じりバネ８１からなり、その一端部がベース部材４０に係止され、その他端部がアーム部材８２に係止されている。この捩じりバネ８１は、アーム部材８２を正面視にて反時計回り方向へ回動付勢し、そのアーム部材８２を介して第１可動役物４１を上方へ付勢している。
【００６７】
アシストバネ機構８０は、第１可動役物４１が第１途中位置よりも第１作動位置側の設定位置から第１作動位置へ近づくほど第１可動役物４１に作用させるアシスト力を小さくするように構成されている。これについて図１４に基づいて詳しく説明する。
【００６８】
先ず、アシスト力：ＦＡは次式で表される。
ＦＡ＝Ｆ× cosθ・・・（１）
Ｆはアーム部材８２からピン８４を介して第１可動役物４１に入力され、支軸８２ａを中心に周方向に向く付勢力である。θはアーム部材８２の回動角度であり、アーム部材８２の長さ方向が第１可動役物４１の移動方向と直交するときにθ＝０°とする。
【００６９】
次に、バネ部材８１によりアーム部材８２を回動させるトルク：Ｔ、付勢力：Ｆ、アーム部材８２の支軸８２ａとピン８４の両中心間の距離：ｒの関係は次式で表される。
Ｆ＝Ｔ／ｒ・・・（２）
次に、アーム部材８２の長さ方向が第１可動役物４１の移動方向と直交するときにｒ＝ｒ0 とすると、ｒは次式で表される。
ｒ＝ｒ0 ／ cosθ・・・（３）
【００７０】
従って、式（１）〜（３）によりＦＡは、Ｔ、ｒ0 、θを用いて次式で表される。
ＦＡ＝Ｔ／ｒ0 ×cos2θ
＝Ｆ0 ×cos2θ・・・（４）
式（４）により、Ｆ0 （＝Ｔ／ｒ0 ）は定数であるため、θ＝０°のとき、即ち、アーム部材８２の長さ方向が第１可動役物４１の移動方向と直交するときに、アシスト力：ＦＡが最大（Ｆ0 ）になる。
【００７１】
第１可動役物４１が第１退避位置から第１作動位置へ移動する際、第１可動役物が第１途中位置よりも少し第１作動位置側に位置する設定位置で、アーム部材８２の長さ方向が第１可動役物４１の移動方向と直交し、アシスト力：ＦＡが最大になる。つまり、アシストバネ機構８０は、第１可動役物４１が第１途中位置よりも第１作動位置側の設定位置から第１作動位置へ近づくほど、θが大きくなって、即ち、cos2θは小さくなるため、第１可動役物４１に作用させるアシスト力：ＦＡを小さくするように構成されている。
【００７２】
クッション部材９０は、ベース部材４０の下部において、ストレート係合溝５２の左側の前方突出部４０ｄの上部に設けられ、第１可動役物４１の第１退避位置側移動端で第１可動役物４１に下側から接触して、その第１退避位置側移動端での移動停止による衝撃を吸収する。クッション部材９１は、ベース部材４０のストレート係合溝５２の上端部分に設けられ、第１可動役物４１の第１作動位置側移動端で第１可動役物４１の係合部材５０に上側から接触して、その第１作動位置側移動端での移動停止による衝撃を吸収する。
【００７３】
クッション部材９２は、第１可動役物４１の上端部分に後方膨出状に設けられ、第２可動役物４２の第２退避位置側移動端で第２可動役物４２に右側から接触して、その第２退避位置側移動端での移動停止による衝撃を吸収する。クッション部材９３は、第１可動役物４１の後面部に取付けられた膨出部材４１ｃの上部に設けられ、第２可動役物４２の第２作動位置側移動端で第２可動役物４２に下側から接触して、その第２作動位置側移動端での移動停止による衝撃を吸収する。
【００７４】
以上説明した可動役物装置１７は次のように動作する。
通常、第１可動役物４１は第１退避位置にあり、その大部分がセンタ役物本体１５ａの後側に隠れ、第２可動役物４２は第２退避位置にあり、その全部が第１可動役物４１の後側に隠れた状態になっているが、遊技球の始動口１０，１１ａへの入賞（大当り抽選）等に基づいて、可動役物装置１７を用いて特別な遊技演出が行われる際に次のようになる。
【００７５】
第１の特別演出では、第１役物駆動機構４３により、第１可動役物４１が第１退避位置から第１途中位置へ向かって移動開始され、第１退避位置と第１途中位置との間で移動領域Ａ１を往復移動される。その際、第２役物駆動機構４４によって、ガイド部材７０がストレートガイド溝７３に係合して、第２可動役物４２は回動しないように保持され、第１可動役物４１と一体的に移動開始されて往復移動される。
【００７６】
その後、第１可動役物４１が第１途中位置を通過して、第１途中位置から第１作動位置へ移動領域Ａ２を移動される。その際、第２役物駆動機構４４（役物連動機構４５）によって、ガイド部材７０が円弧状ガイド溝７２に係合して、第２可動役物４２は第１可動役物４１と共に移動されながら第２退避位置から第２作動位置へ回動される。最終的にガイド部材７０がストレート短溝７４に係合して、第１可動役物４１が第１作動位置へ移動停止され、第２可動役物４２が第２退避作動位置へ移動停止される。
【００７７】
第１可動役物４１が第１退避位置から第１作動位置へ移動するのをアシストするアシスト力が、アシストバネ機構８０により第１可動役物４１に付与され、このアシスト力は、第１可動役物４１が第１退避位置から第１途中位置よりも少し第１作動位置側の設定位置まで徐々に大きくなり、その後、第１作動位置まで徐々に小さくなる。クッション部材９１により第１可動役物４１が第１作動位置へ移動停止する衝撃が吸収され、クッション部材９３により第２可動役物４２が第２作動位置へ移動停止する衝撃が吸収される。
【００７８】
その後、前記と逆の動作により、第１可動役物４１が第１作動位置から第１退避位置へ移動停止され、第２可動役物４２が第２作動位置から第２退避位置へ移動停止される。クッション部材９０により第１可動役物４１が第１退避位置側へ移動停止する衝撃が吸収され、クッション部材９２により第２可動役物４２が第２退避位置へ移動停止する衝撃が吸収される。この第１，第２可動役物４１，４２の動作と共に、画像表示器１６の画面に第１の特別演出画像が表示され、スピーカ３４から第１の特別演出効果音が鳴らされて、全体的にインパクトのある演出が実現される。
【００７９】
第２の特別演出では、第１の特別演出と同様に、第１役物駆動機構４３により、第１可動役物４１が第１退避位置から第１途中位置へ向かって移動開始され、第１退避位置と第１途中位置との間で移動領域Ａ１を往復移動される。その際、第２可動役物４２は第１可動役物４１と一体的に移動開始されて往復移動される。
【００８０】
その後、第１の特別演出とは異なり、第１可動役物４１が第１途中位置を通過して、第１途中位置から第１作動位置へ移動領域Ａ２を移動されることなく、即ち、第２可動役物４２が第２退避位置から第２作動位置へ回動されることなく、第１可動役物４１が第１退避位置へ移動停止される。この第１，第２可動役物４１，４２の動作と共に、画像表示器１６の画面に第１の特別演出画像と一部共通の第２の特別演出画像が表示され、スピーカ３４から第１の特別演出効果音と一部共通の第２の特別演出効果音が鳴らされる。
【００８１】
例えば、特別図柄の変動中、第１，第２可動役物４１，４２が動作した場合（つまり、第１又は第２の特別演出が実行された場合）、第１，第２可動役物４１，４２が動作しない場合よりも大当り遊技が発生する期待度を高くし、また、第１の特別演出が実行された場合、第２の特別演出が実行された場合よりも大当り遊技が発生する期待度を高くする。
【００８２】
これにより、遊技者は、第１，第２可動役物４１，４２が動作した時点で、大当り発生の期待を高めることができる。第１，第２可動役物４１，４２が動作すると、先ず、第１可動役物が第１退避位置と第１途中位置との間で往復移動するが、そこでは未だ、第１の特別演出なのか第２の特別演出なのか判らない。その後、演出が先に進んで第２可動役物４２が回動するのか、第２可動役物４２が回動しないで演出を終了するのかを、第１可動役物４１を往復移動させる演出によって盛り上げることができる。
【００８３】
その結果、演出が先に進んで第２可動役物４２が回動して第１の特別演出となった場合、遊技者は更に大当り発生の期待を高めることができる。但し、第２可動役物４２が回動しないで演出を終了する第２の特別演出となった場合でも、第１，第２可動役物４１，４２が動作しない場合よりも大当り発生の期待を持つことができる。
【００８４】
この可動役物装置１７によれば次の効果を奏する。
第１役物駆動機構４３により、第１可動役物４１を第１退避位置と第１作動位置とに亙ってこれら両位置の間の第１途中位置を経由させて駆動し、第２役物駆動機構４４により、第１可動役物４１を第１退避位置と第１途中位置との間で駆動する際には、第２可動役物４２を第１可動役物４１と一体的に駆動し、第１可動役物４１を第１途中位置と第１作動位置との間で駆動する際には、第２可動役物４２を第１可動役物４１の駆動方向と同方向へ駆動しながら第２退避位置と第２作動位置とに亙って駆動する。
【００８５】
第２役物駆動機構４４の役物連動機構４５により、第１可動役物４１の第１途中位置と第１作動位置との間における往復移動に連動して第２可動役物４２を往復回動させる。つまり、共通の１つの電動モータ６０により、第１，第２可動役物４１，４２を駆動できるようになり、そして、第１可動役物４１を移動させることにより、第１可動役物４１が移動範囲Ａ１を移動する際には、第２可動役物４２を回動させることなく第１可動役物４１と共に移動させ、第１可動役物４１が移動範囲Ａ２を移動する際には、第２可動役物４２を第１可動役物４１と共に移動させながら回動させるという、第１，第２可動役物４１，４２の斬新な動作を実現して、演出効果を高めることができる。
【００８６】
役物連動機構４５は、第２可動役物４２にベース部材４０の方へ突出するように設けたガイド部材７０と、第１可動役物４１が移動範囲Ａ２にあるときにガイド部材７０が係合するようにベース部材４０に設けられ、第２可動役物４２の回動面と平行な面に沿って第１可動役物４１の移動方向と平行でない方向へ延びるガイド溝７２とを有するので、第１可動役物４１の移動範囲Ａ２における往復移動に連動して第２可動役物４２を確実に往復回動させることができる。
【００８７】
第１可動役物４１が移動範囲Ａ１にあるときにガイド部材７０が係合するようにベース部材４０に設けられ、ガイド溝７２の一端部に連なり且つ第１可動役物４１の移動方向と平行方向へ延びるストレートガイド溝７３を備えたので、第１可動役物４１が移動範囲Ａ１を移動する際、第２可動役物４２を回動させずに第２退避位置に保持して、第１可動役物４１と一体的に移動させることができ、第１可動役物４１が移動範囲Ａ１と移動範囲Ａ２とに亙って移動する際、ガイド部材８０をストレートガイド溝７３とガイド溝７２とに亙って確実に係合を移行させることができる。
【００８８】
第１可動役物４１の往復移動方向のうち第１可動役物４１が第１退避位置から第１作動位置へ移動する方向であり、役物駆動機構４３の駆動負荷が重力等の影響で大きい方の移動方向へ第１可動役物４１を付勢するバネ部材８１を有するアシストバネ機構８０を備えた。従って、第１可動役物４１を駆動する負荷を有効に低減することができ、第１，第２可動役物４１，４２を比較的大型にまた大きく動作させるようにして、特に、第１可動役物４１を第１退避位置から第１作動位置へ移動させ第２可動役物４２を第２退避位置から第２作動位置へ回動させる場合に、迅速に円滑に駆動可能になる。
【００８９】
アシストバネ機構８０は、一端側部分がベース部材４０に回動自在に連結され他端側部分が第１可動役物４１に長穴８３とピン８４を介して連動連結されたアーム部材８２を有し、このアーム部材８２を介してバネ部材８１の付勢力を第１可動役物４１に伝達するように構成されたので、第１可動役物４１を第１退避位置から第１作動位置へ移動させる間、第１可動役物４１の駆動をアシストするアシスト力を確実に付与することができる。
【００９０】
第１可動役物４１にガイド部材４０の方へ突出するように設けた係合部材５０と、ベース部材４０に係合部材５０が係合するように設けられ、第１可動役物４１の移動方向と平行方向へ延びるストレート係合溝５２とを備えたので、第１可動役物４１をベース部材４０に直線的に移動自在に確実にガイド支持することができる。そして、アシストバネ機構８０のアーム部材８２の他端側部分が係合部材５０に連動連結されたので、第１可動役物４１をベース部材４０に円滑にガイドし且つ駆動する上で望ましい部位から第１可動役物４１に付勢力を入力することができる。
【００９１】
アシストバネ機構８１は、第１可動役物４１が第１途中位置よりも第１作動位置側の設定位置から第１作動位置へ近づくほど第１可動役物４１に作用させるアシスト力を小さくする。つまり、第２可動役物４２を第２作動位置から第２退避位置へ移動開始させる際、アシスト力に抗して駆動する負荷を軽減することができ、故に、比較的低出力の電動モータ６０を適用して、第１，第２可動役物４１，４２の円滑且つ迅速な動作を実現できる。
【００９２】
ベース部材４０に第１可動役物４１の往復移動端での移動停止による衝撃を吸収するクッション部材９０，９１を設け、第１可動役物４１に第２可動役物４２の往復移動端での移動停止による衝撃を吸収するクッション部材９２，９３を設けた。従って、第１，第２可動役物４１，４２の往復移動端での移動停止による衝撃によって、第１，第２可動役物４１，４２や役物駆動機構４３が損傷を受けることと、第１，第２可動役物がガタついて見栄えを悪くすること、等の課題を抑制することができる。
【実施例２】
【００９３】
実施例２は、実施例１を部分的に変更したものである。尚、実施例１と同機能を有するものには、類似する符号を付して適宜説明を省略する。
【００９４】
図１５、図１６に示すように、この可動役物装置１７Ａでは、役物連動機構４５Ａにおいて、ガイド部材７０Ａがベース部材４０Ａに設けられるとともに、ガイド溝７２Ａ（円弧状ガイド溝７２Ａ）、ストレートガイド溝７３Ａ、ストレート短溝７４Ａが第２可動役物４２Ａに設けられている。尚、円弧状ガイド溝７２Ａ、ストレートガイド溝７３Ａ、ストレート短溝７４Ａは、正面視にて、実施例１の円弧状ガイド溝７２、ストレートガイド溝７３、ストレート短溝７４を１８０度反転させた形状となる。
【００９５】
この可動役物装置１７Ａによれば、実施例１の可動役物装置１７と同様の動作を実現し同様の効果を奏する。尚、実施例１の係合部材５０に代わる係合部材をベース部材４０Ａに設け、実施例１のストレート係合溝５２に代わるストレート係合溝を第１可動役物４１に設けてもよい。この場合、アシストバネ機構８０のアーム部材８２の他端側部分は、第１可動役物４１の所定部に長穴とピンを介して連結される。
【００９６】
その他、本発明の趣旨を逸脱しない範囲において、種々の変更を付加して実施可能である。例えば、第１，第２可動役物の形状・サイズ、第１可動役物の移動方向、第２可動役物の回動方向、ガイド溝の形状、等々については適宜変更可能である。また、本発明は、パチンコ遊技機に搭載される種々の可動役物装置に適用可能である。
【符号の説明】
【００９７】
１  パチンコ遊技機
１７，１７Ａ  可動役物装置
２０  制御装置
４０  ベース部材
４１  第１可動役物
４２，４２Ａ  第２可動役物
４３  第１役物駆動機構
４４  第２役物駆動機構
４５，４５Ａ  役物連動機構
８０  アシストバネ機構
８１  バネ部材
【図１】
2012034746.tif 000003
【図２】
2012034746.tif 000004
【図３】
2012034746.tif 000005
【図４】
2012034746.tif 000006
【図５】
2012034746.tif 000007
【図６】
2012034746.tif 000008
【図７】
2012034746.tif 000009
【図８】
2012034746.tif 000010
【図９】
2012034746.tif 000011
【図１０】
2012034746.tif 000012
【図１１】
2012034746.tif 000013
【図１２】
2012034746.tif 000014
【図１３】
2012034746.tif 000015
【図１４】
2012034746.tif 000016
【図１５】
2012034746.tif 000017
【図１６】
2012034746.tif 000018